(57)【要約】      （修正有）【課題】足の指の把持能力（母趾外転筋、母趾内転筋、短母趾屈筋、短趾屈筋、虫様筋など）を高めて足のアーチ（土踏まず）を形成させることができるサンダルを提供する。【解決手段】本考案のサンダル１は、装着者が足に履くサンダル１であって、革中底ベース３と、革中底ベース３の平面の一部に積層されるインソールベース２と、革中底ベース３の下面に設けられる本底クレープと、を備え、インソールベース２を、革中底ベース３の平面の一部に積層したときに生じる段差４が、装着者の上記足の中足骨頭までをインソールベース２が支え、足の基節骨より先をインソールベース２から外し革中底ベース３が支える境界となるように、インソールベース２の装着者の足先側を成形している。【選択図】図１
0003202224.tif 000002
【実用新案登録請求の範囲】
【請求項１】
装着者が足に履くサンダルであって、
第１ベース部材と、
上記第１ベース部材の平面の一部に積層される第２ベース部材と、
上記第１ベース部材の下面に設けられる本底部材と、を備え、
上記第２ベース部材を、上記第１ベース部材の平面の一部に積層したときに生じる段差が、上記装着者の上記足の中足骨頭までを上記第２ベース部材が支え、上記足の基節骨より先を上記第２ベース部材から外し上記第１ベース部材が支える境界となるように、上記第２ベース部材の上記装着者の足先側を成形したことを特徴とする
サンダル。
【請求項２】
上記第２ベース部材の上記境界の形状は、上記装着者の上記足の親指側と小指側とが中指側に比して凹んだ波形である
請求項１に記載のサンダル。
【請求項３】
上記第２ベース部材は４ｍｍの厚さであり、
上記第１ベース部材と上記第２ベース部材との間に生じる段差の高さは４ｍｍである
請求項１又は２に記載のサンダル。
【請求項４】
上記第２ベース部材は、その平面がフラットな形状である
請求項１乃至請求項３のいずれか１項に記載のサンダル。
【請求項５】
上記第１ベース部材に上記第２ベース部材を積層した上にクッション部材を更に設けた
請求項１乃至請求項４のいずれか１項に記載のサンダル。
【考案の詳細な説明】
【技術分野】
【０００１】
本考案は、足の把持機能を向上させるためのサンダルに関する。
【背景技術】
【０００２】
従来、地面が柔らかければ、歩行に際しては、足指は足底に対してやや沈み込むので足に適度な刺激が与えられることになる。しかし、アスファルトの道路は、表面が硬く、更に靴自体が硬い場合もあり、これらが原因となり、本来、歩行に際して足に与えられるはずの刺激が与えられず、足の把持機能の低下をもたらしている。また、特に地面に親指を踏み込むようにして歩行できないことは、外反母趾の原因にもなると言われている。このような問題に鑑みて、従来、種々のサンダルが提案されている。
【０００３】
例えば、特許文献１では、履物台上面における５指の付け根部に５指を位置決めするためのガイド突起を設け、親指の下方に、歩行時に親指の屈曲運動を誘導するための誘導用凹部を設けたサンダルが開示されている。このサンダルでは、足の親指を正しく使って本来の歩行を実現できるように工夫している。
【先行技術文献】
【特許文献】
【０００４】
【特許文献１】特開２００４−３２９４６０号公報
【考案の概要】
【考案が解決しようとする課題】
【０００５】
しかしながら、特許文献１は、足の指の把持能力（母趾外転筋、母趾内転筋、短母趾屈筋、短趾屈筋、虫様筋など）を高めて足のアーチ（土踏まず）を形成させることには何ら開示されていない。また、この特許文献１に限らず、従来、足のアーチの形成に寄与する構成を備えたサンダルは存在していない。
【０００６】
本考案は、このような課題に鑑みてなされたものであり、その目的とするところは、足の指の把持能力（母趾外転筋、母趾内転筋、短母趾屈筋、短趾屈筋、虫様筋など）を高めて足のアーチ（土踏まず）を形成させることにある。
【課題を解決するための手段】
【０００７】
上記課題を解決するため、本考案の第１の態様に係るサンダルは、装着者が足に履くサンダルであって、第１ベース部材と、上記第１ベース部材の平面の一部に積層される第２ベース部材と、上記第１ベース部材の下面に設けられる本底部材と、を備え、上記第２ベース部材を、上記第１ベース部材の平面の一部に積層したときに生じる段差が、上記装着者の上記足の中足骨頭までを上記第２ベース部材が支え、上記足の基節骨より先を上記第２ベース部材から外し上記第１ベース部材が支える境界となるように、上記第２ベース部材の上記装着者の足先側を成形したことを特徴とする。
【０００８】
本考案の第２の態様に係るサンダルは、第１の態様において、上記第２ベース部材の上記境界の形状は、上記装着者の上記足の親指側と小指側とが中指側に比して凹んだ波形である。
【０００９】
本考案の第３の態様に係るサンダルは、第１又は第２の態様において、上記第２ベース部材は４ｍｍの厚さであり、上記第１ベース部材と上記第２ベース部材との間に生じる段差の高さは４ｍｍである。
【００１０】
本考案の第４の態様に係るサンダルは、第１乃至第３の態様において、上記第２ベース部材は、その平面がフラットな形状である。
【００１１】
本考案の第５の態様に係るサンダルは、第１乃至第４の態様において、上記第１ベース部材に上記第２ベース部材を積層した上にクッション部材を更に設けている。
【考案の効果】
【００１２】
本考案によれば、足の指の把持能力（母趾外転筋、母趾内転筋、短母趾屈筋、短趾屈筋、虫様筋など）を高めて足のアーチ（土踏まず）を形成させることが可能なサンダルを提供することができる。
【図面の簡単な説明】
【００１３】
【図１】本発明の一実施形態に係るサンダルの平面図である。
【図２】本発明の一実施形態に係るサンダルへの足の当接位置を示す図である。
【図３】本発明の一実施形態に係るサンダルの側方断面図である。
【図４】本発明の一実施形態に係るサンダルの改良例の側方断面図である。
【考案を実施するための形態】
【００１４】
以下、図面を参照しつつ本考案の実施形態について説明する。
【００１５】
本考案の一実施形態に係るサンダルは、指の把持能力（母趾外転筋、母趾内転筋、短母趾屈筋、短趾屈筋、虫様筋など）を高めて足のアーチ（土踏まず）を形成させるための構成を備えている点に特徴を有している。つまり、本実施形態に係るサンダルは、足の指の根元（基節骨）に相当する位置に段差が設けられており、更に親指側と小指側が低く他が高いという波形になっている。このような構成により、通常の歩行の過程で足の内在筋の筋力トレーニングを実施し、土踏まずを作ることを目的としている。尚、段差の高さは指を使わせる高さとして最適な高さである４ｍｍとしている。以下、詳述する。
【００１６】
図１には本発明の一実施形態に係るサンダルの平面図を示し、図２には本発明の一実施形態に係るサンダルへの足の当接位置を示し、図３には本発明の一実施形態に係るサンダルの側方断面図を示し、説明する。
【００１７】
図１に示されるように、サンダル１の基部は、革中底ベース３の上にインソールベース２が積層された構成となっている。インソールベース２の足先側の末端部は、所定の波打つような形状により切り落とされている。従って、革中底ベース３の上にインソールベース２が積層された状態では、足先側の末端部で革中底ベース３が露呈する。
【００１８】
インソールベース２の厚みは、アーチ（土踏まず）形成に良いとされている土や芝生などの自然の地面を踏みしめる厚みを想定して、革製で２ｍｍから４ｍｍとしているが、これに限定されない。履くことでアーチ（土踏まず）を作ることを目的としているので、インソールベース２にはアーチサポート（凸部）は設けずにフラットな形状としている。革中底ベース３は、革製で４ｍｍの厚みとしているが、これに限定されない。
【００１９】
このような２ｍｍから４ｍｍのインソールベース２の末端部の切除と、アーチサポートがないフラットな形状が特徴の１つである。末端部の切除により、革中底ベース３とインソールベース２との境界には、段差４が形成されている。この例では、図３に示されるように所定の曲率で緩やかに傾斜した曲面となっている。
【００２０】
さらに、図３に示されるように、革中底ベース３の下面には本底クレープ１０が設けられている。この例では、本底クレープ１０は、足の動きを阻害しない柔らかい素材で形成しており、その厚みは６ｍｍとしているが、これに限定されない。
【００２１】
インソールベース２の末端部の切除に際しては、図２に示されるように、その切除により革中底ベース３との間にできる段差４が、足骨１００の中足骨頭１０１ａ〜１０１ｅまでをインソールベース２が支え、足の基節骨１００ａ〜１００ｅより先をインソールベース２から外すような形状とする。切り口の形状も、骨の形状に合わせ親指と小指側が凹んだ波形としている。この実施形態では、虫様筋の促通を目標としているためＭＰ（中手指節間）関節屈曲、ＩＰ（指節間）関節伸展を促す。
【００２２】
足の土踏まずを構成する足の内在筋のうち、母趾外転筋は人体中でも最大の筋線維の太さを有す（3239μ2)）。この筋は母趾を外転するのみでなく、母趾の屈曲作用を有する。現代では「浮き指」と言って指が地面から浮いている状態が多く存在する。本発明のサンダルによれば、母趾は軽く屈曲し、母趾外転筋の活動を促通することができる。従って、本実施形態に係るサンダル１を履いているだけで、自然なアーチ（土踏まず）を形成するのに寄与する運動がもたらされる。
【００２３】
革中底ベース３において、装着者の足の親指と人差し指の間に相当する位置には、鉛直方向に軸部５が立設されており、当該軸部５には分岐部６が接続されている。そして、分岐部６より左右方向に前方保持部７，８が設けられ、その一端がインソールベース２に接続されている。また、インソールベース２の左右の略中央端部にその両端が接続された後方保持部９も設けられている。この後方保持部９は必須の構成ではなく、この後方保持部９を設けない構成も実現可能である。
【００２４】
図４には本発明の一実施形態に係るサンダルの改良例の側方断面図を示す。図３と同一構成には、同一符号を付している。この図４に示されるように、インソールベース２と革中底ベース３の上に連続してクッション材１１と上張り革１２とを積層してもよい。例えば、上張り革１２は０．５ｍｍ、クッション材１１は履き心地を考慮し３ｍｍとしてもよいが、これには限定されない。
【００２５】
以上説明したように、本発明の一実施形態によれば、装着者が足に履くサンダル１であって、第１ベース部材としての革中底ベース３と、第１ベース部材の平面の一部に積層される第２ベース部材としてのインソールベース２と、第１ベース部材の下面に設けられる本底部材としての本底クレープ１０と、を備え、第２ベース部材を、第１ベース部材の平面の一部に積層したときに生じる段差４が、装着者の上記足の中足骨頭１０１ａ〜１０１ｅまでを上記第２ベース部材としてのインソールベース２が支え、足の基節骨１００ａ〜１００ｅより先を第２ベース部材から外し第１ベース部材としての革中底ベース３が支える境界となるように、第２ベース部材としてのインソールベース２の装着者の足先側を成形したことを特徴とするサンダル１が提供される。
【００２６】
ここで、第２ベース部材としてのインソールベース２の上記境界４の形状は、装着者の足の親指側と小指側とが中指側に比して凹んだ波形であってよい。
【００２７】
上記第２ベース部材としてのインソールベース２は４ｍｍの厚さであり、第１ベース部材としての革中底ベース３と第２ベース部材としてのインソールベース２との間に生じる段差４の高さは４ｍｍであってよい。
【００２８】
上記第２ベース部材としてのインソールベース２は、その平面がフラットな形状であってよい。
【００２９】
上記第１ベース部材としての革中底ベース３に上記第２ベース部材としてのインソールベース２を積層した上にクッション部材１１を更に設けてもよい。
【００３０】
以上、本考案の一実施形態について説明したが、本考案はこれに限定されることなくその趣旨を逸脱しない範囲で種々の改良・変更が可能であることは勿論である。
【００３１】
例えば、サンダルのみならず、２ｍｍから４ｍｍのインソールベースの末端部の前述したような骨格を意識した切除形状と、アーチサポートがないフラットな形状を備えている各種履物に適用可能である。
【符号の説明】
【００３２】
１  サンダル
２  インソールベース
３  革中底ベース
４  段差
５  軸部
６  分岐部
７  前方保持部
８  前方保持部
９  後方保持部
１０  本底クレープ
【図１】
0003202224.tif 000003
【図２】
0003202224.tif 000004
【図３】
0003202224.tif 000005
【図４】
0003202224.tif 000006